(57)【要約】【課題】構成や制御を複雑にすることなく、サマータイムの設定を容易にする電子時計を提供する。【解決手段】電子時計１０は、基準時刻との時差を示すタイムゾーン情報、およびサマータイムが有効か無効かを示すサマータイム情報を記憶する記憶装置１１０と、衛星からの衛星信号を受信し、衛星信号に基づいて位置情報を出力するＧＰＳモジュール１２０と、ＧＰＳモジュール１２０が出力した位置情報に基づいてタイムゾーン情報を算出し、タイムゾーン情報およびサマータイム情報に基づいて時刻を設定する制御部１５０と、を備え、制御部１５０は、ＧＰＳモジュール１２０が衛星信号を受信できた場合であって、かつ、衛星信号に基づく第１のタイムゾーン情報が示す第１の時差と、衛星信号を受信するよりも前に記憶した第２のタイムゾーン情報が示す第２の時差と、が異なる場合、サマータイムが無効になるようにサマータイム情報を設定する。【選択図】図３
2017032291.tif 000002
【特許請求の範囲】
【請求項１】
基準時刻との時差を示すタイムゾーン情報、およびサマータイムが有効か無効かを示すサマータイム情報を記憶する記憶部と、
衛星から送信される衛星信号を受信し、前記衛星信号に基づいて位置情報を出力する受信部と、
前記受信部が出力した前記位置情報に基づいて前記タイムゾーン情報を算出し、前記タイムゾーン情報および前記サマータイム情報に基づいて時刻を設定する制御部と、を備え、
前記制御部は、前記受信部が前記衛星信号を受信できた場合であって、かつ、前記衛星信号に基づく第１のタイムゾーン情報が示す第１の時差と、前記衛星信号を受信するよりも前に前記記憶部に記憶した第２のタイムゾーン情報が示す第２の時差と、が異なる場合、前記サマータイムが無効になるように前記サマータイム情報を設定することを特徴とする電子機器。
【請求項２】
請求項１に記載の電子機器において、
前記制御部は、前記受信部が前記衛星信号を受信できた場合であって、かつ、前記第１の時差と、前記第２の時差と、が同じ場合、前記記憶部に記憶されている前記サマータイム情報と同じになるように前記サマータイム情報を設定することを特徴とする電子機器。
【請求項３】
請求項１乃至２のいずれかに記載の電子機器において、
前記制御部は、前記受信部が前記衛星信号を受信できない場合、前記記憶部に記憶されている前記サマータイム情報と同じになるように前記サマータイム情報を設定することを特徴とする電子機器。
【請求項４】
請求項１乃至３のいずれか１項に記載の電子機器において、
前記タイムゾーン情報は、異なる前記時差を地域に応じてグループ化したタイムゾーングループを示すことを特徴とする電子機器。
【請求項５】
請求項１乃至４のいずれか１項に記載の電子機器において、
指示を受け付ける受付部を備え、
前記制御部は、前記受付部が受け付けた前記指示に基づいて前記位置情報を取得することを特徴とする電子機器。
【請求項６】
請求項１乃至４のいずれか１項に記載の電子機器において、
前記制御部は、環境の変化に基づいて前記位置情報を取得することを特徴とする電子機器。
【請求項７】
請求項１乃至６のいずれか１項に記載の電子機器において、
前記衛星信号は前記衛星が計時する衛星時刻情報を含み、
前記制御部は、前記衛星信号から前記衛星時刻情報を抽出し、抽出した前記衛星時刻情報に基づいて前記時刻を設定することを特徴とする電子機器。
【請求項８】
請求項１乃至７のいずれか１項に記載の電子機器において、
設定した前記時刻を表示する表示部を備えることを特徴とする電子機器。
【請求項９】
基準時刻との時差を示すタイムゾーン情報、およびサマータイムが有効か無効かを示すサマータイム情報を記憶する記憶部と、
タイムゾーンの変更指示を受け付ける受付部と、
前記受付部が受け付けた前記変更指示に基づいてタイムゾーン情報を設定し、前記タイムゾーン情報および前記サマータイム情報に基づいて時刻を設定する制御部と、を備え、
前記制御部は、前記変更指示に基づく第１のタイムゾーン情報が示す第１の時差と、前記変更指示を受け付けるよりも前に前記記憶部に記憶した第２のタイムゾーン情報が示す第２の時差と、が異なる場合、前記サマータイムが無効になるように前記サマータイム情報を設定することを特徴とする電子機器。
【請求項１０】
請求項９に記載の電子機器において、
前記制御部は、前記第１の時差と、前記第２の時差と、が同じ場合、前記記憶部に記憶されている前記サマータイム情報と同じになるように前記サマータイム情報を設定することを特徴とする電子機器。
【請求項１１】
基準時刻との時差を示すタイムゾーン情報、およびサマータイムが有効か無効かを示すサマータイム情報を記憶する記憶工程と、
衛星から送信される衛星信号を受信し、前記衛星信号に基づいて位置情報を算出する算出工程と、
前記衛星信号を受信できるか、否かを判定する判定工程と、
前記衛星信号を受信できると判定した場合、前記衛星信号に基づく第１のタイムゾーン情報が示す第１の時差と、前記衛星信号を受信するよりも前に記憶した第２のタイムゾーン情報が示す第２の時差と、を比較する比較工程と、
前記２つの時差が異なる場合、前記サマータイムが無効になるように前記サマータイム情報を設定する設定工程と、を有することを特徴とする時刻修正方法。
【請求項１２】
基準時刻との時差を示すタイムゾーン情報、およびサマータイムが有効か無効かを示すサマータイム情報を記憶する記憶部と、
衛星から送信される衛星信号を受信し、前記衛星信号に基づいて位置情報を出力する受信部と、
前記受信部が出力した前記位置情報に基づいて前記タイムゾーン情報を算出し、前記タイムゾーン情報および前記サマータイム情報に基づいて時刻を設定する制御部と、を備え、
前記制御部は、前記受信部が前記衛星信号を受信した場合、前記サマータイムが無効になるように前記サマータイム情報を設定することを特徴とする電子機器。
【発明の詳細な説明】
【技術分野】
【０００１】
本発明は、電子機器および時刻修正方法に関する。
【背景技術】
【０００２】
従来、海外旅行等で移動先地域に時差がある場合、時計の時差の調節は利用者が手動にて行う必要があった。また、その地域にサマータイムが設定されている場合、日付情報からサマータイムが実施されているか、否かの情報を利用者自ら調べ、手動でサマータイム時間の設定を行う必要があった。
近年、ＧＰＳ（Global Positioning System）により協定世界時（ＵＴＣ）や位置情報を取得し、移動先地域での時刻を自動設定する電子時計が実用されている。このような電子時計においても、サマータイムは手動で設定する必要があるが、設定が面倒であるため、設定を忘れて誤った時間を表示することがあった。
このような問題を解決する方法として、下記特許文献１には、サマータイムの採用有無に関するサマータイム採用情報を地域情報と関連付けて記憶しておき、ＧＰＳから測位受信により得られる移動先地域がサマータイムを採用する地域であるか否かを判定し、サマータイムを採用する地域である場合には、サマータイムの設定を有効にし、サマータイムを採用しない地域である場合には、サマータイムの設定を無効にする電子時計が開示されている。
【先行技術文献】
【特許文献】
【０００３】
【特許文献１】特開２０１４−２１５１４７号公報
【発明の概要】
【発明が解決しようとする課題】
【０００４】
しかしながら、電子時計にサマータイム採用情報を地域情報と関連付けて記憶させておき、地域情報に応じたサマータイム採用情報を読み出す処理が必要なため、電子時計のメモリーの記憶容量を圧迫したり、制御処理が複雑になったりする課題があった。
本発明は、上述の課題に鑑みてなされたものであり、電子時計の構成や制御を複雑にすることなく、サマータイムの設定を容易することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電子機器は、基準時刻との時差を示すタイムゾーン情報、およびサマータイムが有効か無効かを示すサマータイム情報を記憶する記憶部と、衛星から送信される衛星信号を受信し、前記衛星信号に基づいて位置情報を出力する受信部と、前記受信部が出力した前記位置情報に基づいて前記タイムゾーン情報を算出し、前記タイムゾーン情報および前記サマータイム情報に基づいて時刻を設定する制御部と、を備え、前記制御部は、前記受信部が前記衛星信号を受信できた場合であって、かつ、前記衛星信号に基づく第１のタイムゾーン情報が示す第１の時差と、前記衛星信号を受信するよりも前に前記記憶部に記憶した第２のタイムゾーン情報が示す第２の時差と、が異なる場合、前記サマータイムが無効になるように前記サマータイム情報を設定することを特徴とする。
【０００７】
このような構成によれば、制御部は、受信部が衛星信号を受信できた場合であって、かつ、衛星信号に基づく第１のタイムゾーン情報が示す第１の時差と、衛星信号を受信するよりも前に記憶部に記憶した第２のタイムゾーン情報が示す第２の時差と、が異なる場合、サマータイムが無効になるようにサマータイム情報を設定する。従って、タイムゾーンが異なる地域に移動したと判定した場合、移動先の地域におけるサマータイムの有無に依存すること無く、サマータイムの設定を無効にするため、記憶部にサマータイムの有無の情報を移動先毎に記憶しておき、移動先のサマータイムの情報を必要に応じて読み出す処理が不要になる。更に、タイムゾーンが異なる地域に移動した場合にサマータイムの設定を忘れることにより誤った時刻が設定されることを回避できる。
【０００８】
［適用例２］
上記適用例にかかる電子機器において、前記制御部は、前記受信部が前記衛星信号を受信できた場合であって、かつ、前記第１の時差と、前記第２の時差と、が同じ場合、前記記憶部に記憶されている前記サマータイム情報と同じになるように前記サマータイム情報を設定することが好ましい。
【０００９】
このような構成によれば、制御部は、タイムゾーンが同じ地域に移動したと判定した場合、記憶部に記憶されているサマータイムの設定と同じになるようにサマータイムを設定するため、サマータイムの有無の情報を移動先に応じて記憶していなくてもサマータイムを設定できる。
【００１０】
［適用例３］
上記適用例にかかる電子機器において、前記制御部は、前記受信部が前記衛星信号を受信できない場合、前記記憶部に記憶されている前記サマータイム情報と同じになるように前記サマータイム情報を設定しても良い。
【００１１】
［適用例４］
上記適用例にかかる電子機器において、前記タイムゾーン情報は、異なる前記時差を地域に応じてグループ化したタイムゾーングループを示すことが好ましい。
【００１２】
このような構成によれば、制御部は、タイムゾーングループとして時差が異なる地域をグループ化することにより広範囲にサマータイムを設定できる。
【００１３】
［適用例５］
上記適用例にかかる電子機器において、指示を受け付ける受付部を備え、前記制御部は、前記受付部が受け付けた前記指示に基づいて前記位置情報を取得しても良い。
【００１４】
［適用例６］
上記適用例にかかる電子機器において、前記制御部は、環境の変化に基づいて前記位置情報を取得しても良い。
【００１５】
［適用例７］
上記適用例にかかる電子機器において、前記衛星信号は前記衛星が計時する衛星時刻情報を含み、前記制御部は、前記衛星信号から前記衛星時刻情報を抽出し、抽出した前記衛星時刻情報に基づいて前記時刻を設定することが好ましい。
【００１６】
このような構成によれば、制御部は、衛星が計時する衛星時刻情報に基づいて正確な時刻を設定できる。
【００１７】
［適用例８］
上記適用例にかかる電子機器において、設定した前記時刻を表示する表示部を備えることが好ましい。
【００１８】
このような構成によれば、制御部が設定した時刻を表示できる。
【００１９】
［適用例９］
本適用例にかかる電子機器は、基準時刻との時差を示すタイムゾーン情報、およびサマータイムが有効か無効かを示すサマータイム情報を記憶する記憶部と、タイムゾーンの変更指示を受け付ける受付部と、前記受付部が受け付けた前記変更指示に基づいてタイムゾーン情報を設定し、前記タイムゾーン情報および前記サマータイム情報に基づいて時刻を設定する制御部と、を備え、前記制御部は、前記変更指示に基づく第１のタイムゾーン情報が示す第１の時差と、前記変更指示を受け付けるよりも前に前記記憶部に記憶した第２のタイムゾーン情報が示す第２の時差と、が異なる場合、前記サマータイムが無効になるように前記サマータイム情報を設定することを特徴とする。
【００２０】
このような構成によれば、制御部は、タイムゾーンの変更指示に基づく第１のタイムゾーン情報が示す第１の時差と、変更指示を受け付けるよりも前に記憶部に記憶した第２のタイムゾーン情報が示す第２の時差と、が異なる場合、サマータイムが無効になるようにサマータイム情報を設定する。従って、タイムゾーンが異なる地域に移動したと設定された場合、移動先の地域におけるサマータイムの有無に依存すること無く、サマータイムの設定を無効にするため、記憶部にサマータイムの有無の情報を移動先毎に記憶しておき、移動先のサマータイムの情報を必要に応じて読み出す処理が不要になる。更に、タイムゾーンが異なる地域に移動した場合にサマータイムの設定を忘れることにより誤った時刻が設定されることを回避できる。
【００２１】
［適用例１０］
上記適用例にかかる電子機器において、前記制御部は、前記第１の時差と、前記第２の時差と、が同じ場合、前記記憶部に記憶されている前記サマータイム情報と同じになるように前記サマータイム情報を設定することを特徴とする。
【００２２】
このような構成によれば、制御部は、タイムゾーンが同じ地域に移動したと設定された場合、記憶部に記憶されているサマータイムの設定と同じになるようにサマータイムを設定するため、サマータイムの有無の情報を移動先に応じて記憶していなくてもサマータイムを設定できる。
【００２３】
［適用例１１］
本適用例にかかる時刻修正方法は、基準時刻との時差を示すタイムゾーン情報、およびサマータイムが有効か無効かを示すサマータイム情報を記憶する記憶工程と、衛星から送信される衛星信号を受信し、前記衛星信号に基づいて位置情報を算出する算出工程と、前記衛星信号を受信できるか、否かを判定する判定工程と、前記衛星信号を受信できると判定した場合、前記衛星信号に基づく第１のタイムゾーン情報が示す第１の時差と、前記衛星信号を受信するよりも前に記憶した第２のタイムゾーン情報が示す第２の時差と、を比較する比較工程と、前記２つの時差が異なる場合、前記サマータイムが無効になるように前記サマータイム情報を設定する設定工程と、を有することを特徴とする。
【００２４】
このような方法によれば、衛星信号を受信できた場合であって、かつ、衛星信号に基づく第１のタイムゾーン情報が示す第１の時差と、衛星信号を受信するよりも前に記憶した第２のタイムゾーン情報が示す第２の時差と、が異なる場合、サマータイムが無効になるようにサマータイム情報を設定する。従って、タイムゾーンが異なる地域に移動したと判定した場合、移動先の地域におけるサマータイムの有無に依存すること無く、サマータイムの設定を無効にするため、サマータイムの有無の情報を移動先毎に記憶しておき、移動先のサマータイムの情報を必要に応じて読み出す処理が不要になる。更に、タイムゾーンが異なる地域に移動した場合にサマータイムの設定を忘れることにより誤った時刻が設定されることを回避できる。
【００２５】
［適用例１２］
本適用例にかかる電子機器は、基準時刻との時差を示すタイムゾーン情報、およびサマータイムが有効か無効かを示すサマータイム情報を記憶する記憶部と、衛星から送信される衛星信号を受信し、前記衛星信号に基づいて位置情報を出力する受信部と、前記受信部が出力した前記位置情報に基づいて前記タイムゾーン情報を算出し、前記タイムゾーン情報および前記サマータイム情報に基づいて時刻を設定する制御部と、を備え、前記制御部は、前記受信部が前記衛星信号を受信した場合、前記サマータイムが無効になるように前記サマータイム情報を設定することを特徴とする。
【００２６】
このような構成によれば、制御部は、受信部が衛星信号を受信した場合、サマータイムが無効になるようにサマータイム情報を設定する。従って、タイムゾーンが異なる地域に移動し、受信部が位置情報を取得すべく衛星信号を受信した場合、サマータイムの設定を無効にするため、記憶部にサマータイムの有無の情報を移動先毎に記憶しておき、移動先のサマータイムの情報を必要に応じて読み出す処理が不要になる。更に、タイムゾーンが異なる地域に移動した場合にサマータイムの設定を忘れることにより誤った時刻が設定されることを回避できる。
【図面の簡単な説明】
【００２７】
【図１】本発明の実施形態に係る電子時計を示す概略図。
【図２】電子時計の正面図。
【図３】電子時計回路構成を示す図。
【図４】制御部の機能構成を示すブロック図。
【図５】制御部による時刻修正処理の流れを示すフローチャート。
【図６】ＤＳＴ設定処理を示すフローチャート。
【図７】タイムゾーングループの変化に基づいてＤＳＴを設定する処理を示すフローチャート。
【図８】測位モードで受信処理された場合にＤＳＴの設定を夏時間ＯＦＦに設定する処理を示すフローチャート。
【図９】ユーザーの操作によりタイムゾーンが修正される処理の流れを示すフローチャート。
【発明を実施するための形態】
【００２８】
以下、本発明の実施形態について図面を参照して説明する。
【００２９】
（実施形態）
図１は、本実施形態に係る電子機器の１つである電子時計１０を示す概略図である。
電子時計１０は、ＧＰＳ衛星信号受信装置を備えた腕時計である。この電子時計１０は、図１に示すように、時刻を表示する表示部として文字板１１、時針２３、分針２２および秒針２１等を備えたアナログ表示方式を採用している。
また、電子時計１０の一方の側面には、ユーザーからの指示を受け付けるためのボタン５１およびリューズ５５が設けられている。
【００３０】
そして、電子時計１０は、地球の上空を所定の軌道で周回している人工衛星の１つであるＧＰＳ衛星９０からの衛星信号を受信し、衛星信号からＧＰＳ衛星９０が計時している衛星時刻情報を抽出し、周知のクオーツ時計で計時している内部時刻を修正できるように構成されている。
図２は、電子時計１０の正面図である。この電子時計１０は、内部に実装された精密な機構を保護する外装ケース３０を備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が配置されている。
【００３１】
文字板１１は、外装ケース３０の内側で時刻を表示する円形の板材であり、プラスチックなどの光透過性の材料で形成されている。
本実施形態では、文字板１１において時刻を表示する面の裏面と対向する位置に、光発電を行うソーラーパネル（図示は略す。）が受光可能に配置されている。このソーラーパネルは、文字板１１を透過した光の光エネルギーを電気エネルギー（電力）に変換する複数のソーラーセル（光発電素子）を有している。
【００３２】
ダイヤルリング４０には、１２分位置にアルファベットの「Ｙ」と、１８分位置にアルファベットの「Ｎ」の英字が表記されている。この英字は、ＧＰＳ衛星９０から受信した衛星信号に基づく各種情報の受信（取得）結果（Ｙ：受信（取得）成功、Ｎ：受信（取得）失敗）を示す。秒針２１は、「Ｙ」および「Ｎ」のいずれか一方を指示し、衛星信号の受信結果を表示する。
【００３３】
文字板１１の中心から２時方向の位置には指針６１が設けられている。この指針６１の回転領域の外周には、七曜を示す、「Ｓ」、「Ｍ」、「Ｔ」、「Ｗ」、「Ｔ」、「Ｆ」、「Ｓ」の英字が表記されている。指針６１は、「Ｓ」〜「Ｓ」のいずれかを指示することで、曜日を表示する。
【００３４】
また、文字板１１の中心から１０時方向の位置には指針７１が設けられている。この指針７１の回転領域の６時方向から７時方向の範囲の外周には、「ＤＳＴ」の英字と「○」の記号が表記されている。ＤＳＴ（daylight saving time）は夏時間（サマータイム）を意味する。指針７１は、これらの英字と記号を指示することで、夏時間（ＤＳＴ：夏時間ＯＮ、○：夏時間ＯＦＦ）の設定状態を表示する。
【００３５】
指針７１の回転領域の８時方向から９時方向までの範囲の外周には、円周に沿って、９時方向の基端が太く、８時方向の先端が細い三日月鎌状の記号７２が表記されている。この記号７２は、電源となる電池１１８（図３）のパワーインジケーターであり、電池残量に応じた位置を指針７１が指示する。
【００３６】
指針７１の回転領域の１０時方向の外周には、飛行機形状の記号７３が表記されている。この記号は、機内モードを表す。航空機の離着陸時は、航空法によって衛星信号の受信が禁止されている。指針７１は、記号７３を指示することで、機内モードに設定され、受信が行われないことを表示する。
【００３７】
指針７１の回転領域の１１時方向から１２時方向までの範囲の外周には、「１」の数字と「４＋」の記号が表記されている。これらの数字と記号は、衛星信号の受信モードを表す。「１」は衛星時刻情報を受信し内部時刻が修正されること（測時モード）を、「４＋」は衛星時刻情報と軌道情報とを受信し、現在位置である位置情報を算出し、内部時刻と後述するタイムゾーンデータとが修正されること（測位モード）を意味する。
【００３８】
文字板１１の中心から６時方向の位置には指針８１，８２が設けられている。指針８１は、第２時刻の「分」を表示し、指針８２は、第２時刻の「時」を表示する。
カレンダー小窓１５は、文字板１１を矩形状に開口した開口部に設けられており、開口部から印刷された数字情報１６が視認可能となっている。この数字情報１６は、年月日の「日」を表す。
【００３９】
［電子時計の回路構成］
図３は電子時計１０の主な回路構成を示す図である。
この電子時計１０は、受信部としてのＧＰＳ装置（ＧＰＳモジュール）１２０、ＣＰＵ１００、記憶装置１１０、受付部としての入力装置１３０、時刻表示部および情報表示部としての表示装置１４０および電池１１８を備えている。これらの各装置は、データバス１４５を介してデータを通信している。電池１１８は、ソーラーパネルから供給される電力を充電可能な２次電池を想定する。
【００４０】
［ＧＰＳ装置の構成］
ＧＰＳモジュール１２０は、ＧＰＳアンテナ１２５を備え、ＧＰＳアンテナ１２５を介して受信した衛星信号を処理して衛星時刻情報や位置情報を取得するものである。
ＧＰＳアンテナ１２５は、地球の上空を所定の軌道で周回している複数のＧＰＳ衛星９０からの衛星信号を受信する。このＧＰＳアンテナ１２５は、例えば文字板１１の外周に沿って配置されるリングアンテナや、文字板１１の裏面側に配置されるパッチアンテナで構成されている。
【００４１】
そして、ＧＰＳモジュール１２０は、ＧＰＳ衛星９０から送信される衛星信号を受信してデジタル信号に変換し、デジタル信号の相関判定を実行して航法メッセージを復調し、復調した航法メッセージに基づいて衛星時刻情報や位置情報を取得して出力する機能を備える。
尚、衛星信号を解析して位置情報や衛星時刻情報を取得する処理の具体的な内容は、本発明の要旨ではないため、省略する（かかる処理については、例えば、特開２０１５−７２２６０号公報を参照）。
【００４２】
［入力装置および表示装置の構成］
入力装置１３０は、ユーザーによる操作を受け付ける部材としてボタン５１およびリューズ５５で構成されている。
表示装置１４０は、図示を略した、ステップモーターおよび輪列で駆動されて時刻等を表示する時針２３、分針２２、秒針２１、指針６１，７１，８１，８２および文字板１１を備えている。
【００４３】
［記憶装置の構成］
記憶装置１１０は、記憶部に相当し、ＲＡＭ１１２およびＦｌａｓｈ  ＲＯＭ１１４を備える。
ＲＡＭ１１２には、時刻データやタイムゾーンデータ等を記憶可能な記憶領域が設けられている。タイムゾーンデータは、位置とその位置でのタイムゾーンとが対応付けて記憶されている。都市名とタイムゾーンとを対応付けてもよいし、地球上を所定の領域に分割して、該領域とタイムゾーンとを対応付けていてもよい。
Ｆｌａｓｈ  ＲＯＭ１１４は、ＣＰＵ１００が実行するプログラムや、プログラムの実行時に用いられるデータを更新可能に記憶している。また、Ｆｌａｓｈ  ＲＯＭ１１４は、現在設定されているタイムゾーンやＤＳＴ設定に関する情報を記憶できる。
【００４４】
［制御部］
図４は、制御部１５０の機能構成を示すブロック図である。制御部１５０は、測時部１５５、測位部１６０、タイムゾーン設定部１６５、時刻修正部１７０、ＤＳＴ設定部１７５および表示制御部１８０を備える。
制御部１５０の各機能部は、ＣＰＵ１００や記憶装置１１０等のハードウェアと、記憶装置１１０に記憶されたソフトウェアと、の協働により実現される機能的な構成を示すものであり、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現しても良く、あるいは、ハードウェアで実現される機能の一部をソフトウェアで実現しても良い。
【００４５】
測時部１５５は、ＧＰＳモジュール１２０を制御して、少なくとも１つのＧＰＳ衛星９０を捕捉し、捕捉したＧＰＳ衛星９０から送信される衛星信号を受信して衛星時刻情報を取得する処理を行う（測時モードでの受信処理）。
測位部１６０は、ＧＰＳモジュール１２０を制御して、少なくとも３個、好ましくは４個以上のＧＰＳ衛星９０を捕捉し、各ＧＰＳ衛星９０から送信される衛星信号を受信して位置情報を算出して取得する処理を行う（測位モードでの受信処理）。
タイムゾーン設定部１６５は、測位部１６０が位置情報の取得に成功した場合、取得された位置情報（緯度、経度）に基づいてタイムゾーンデータを設定する。具体的には、タイムゾーン設定部１６５は、ＲＡＭ１１２に記憶されているタイムゾーンデータ（タイムゾーン情報つまり時差情報）の中から、位置情報に対応するタイムゾーンデータを選択して設定する。例えば、位置情報にもっとも近い都市に対応するタイムゾーンデータや、位置情報が含まれる領域に対応するタイムゾーンデータを選択する。
【００４６】
例えば、日本標準時（ＪＳＴ）は、基準時刻であるＵＴＣに対して９時間進めた時刻（ＵＴＣ＋９）であるため、取得した位置情報が日本である場合には、タイムゾーン設定部１６５は、タイムゾーンデータの中から日本標準時の時差情報（＋９時間）を読み出して記憶装置１１０に記憶する。
ＤＳＴ設定部１７５は、時差情報の変化等に基づいて、ＤＳＴが有効か無効かを示すサマータイム情報を設定する。
【００４７】
時刻修正部１７０は、衛星時刻情報、タイムゾーンデータおよびサマータイム情報に基づいて内部時刻を修正する。
表示制御部１８０は、上記の各機能部の結果に基づいて、表示装置１４０の時針２３、分針２２、秒針２１および指針６１，７１，８１，８２の指示位置を制御する。
【００４８】
［制御部による処理］
図５は、制御部１５０による測位モードでの時刻修正処理（時刻修正方法）の流れを示すフローチャートである。制御部１５０は、ボタン５１およびリューズ５５の所定操作をユーザーが行った場合に実行しても良く、また、環境の変化に応じて制御部１５０が自動的に実行しても良い。
尚、環境の変化とは、例えば、ソーラーパネルが太陽光を受光して電力の生成を確認した場合や、電子時計１０に組み込まれたセンサー（例えば、光量センサーや加速度センサーや紫外線センサー）が屋外にいることを検知した場合や、衛星信号の受信を休止する機内モードがユーザーにより解除された場合等を想定する。
【００４９】
この処理が開始されると、制御部１５０は、現在のタイムゾーンとＤＳＴ情報を関連付けて記憶装置１１０に記憶する（ステップＳ２００）＜記憶工程＞。尚、この処理は、測位処理において実行される態様には限定されず、測位処理が開始される前に予め実行されていれば良い。
次に、制御部１５０は、ＧＰＳ衛星９０から送信される衛星信号の受信を開始し、受信した衛星信号から位置情報を算出する（ステップＳ２０２）＜算出工程＞。
【００５０】
続いて、制御部１５０は、衛星信号を受信できたか、否かを判定する（ステップＳ２０４）＜判定工程＞。本実施形態では、制御部１５０は、受信した衛星信号を正しく復号できるか、否かの判定や、復号したデータに所定の情報が含まれるか、否かの判定に基づいて、衛星信号の受信ができたか否かを判定する。
衛星信号を受信したと判定した場合（ステップＳ２０４でＹｅｓ）、制御部１５０は、ＤＳＴ設定処理を実行する（ステップＳ３００）。
【００５１】
ここで、図６は、ＤＳＴ設定処理を示すフローチャートである。
ＤＳＴ設定処理が開始されると、制御部１５０は、衛星信号から算出した位置情報に基づいてタイムゾーンを取得する（ステップＳ３０２）。
次に、制御部１５０は、取得したタイムゾーン（第１のタイムゾーン情報）と、記憶装置１１０に記憶したタイムゾーン（第２のタイムゾーン情報）と、を比較し、同じであるか、否かを判定する（ステップＳ３０４）＜比較工程＞。
【００５２】
ここで、取得したタイムゾーン（第１のタイムゾーン情報）が示す時差（第１の時差）と、タイムゾーンを取得する前に記憶装置１１０に記憶されていたタイムゾーン（第２のタイムゾーン情報）が示す時差（第２の時差）と、が異なる、即ち、２つのタイムゾーンは異なると判定した場合（ステップＳ３０４でＮｏ）、制御部１５０は、ＤＳＴをＯＦＦ（夏時間ＯＦＦ）に設定し（ステップＳ３１０）＜設定工程＞、ステップＳ３１２に進む。
他方で、２つのタイムゾーンは同じであると判定した場合（ステップＳ３０４でＹｅｓ）、制御部１５０は、記憶されているＤＳＴ情報と同じになるようにＤＳＴを設定し（ステップＳ３２０）、ステップＳ３１２に進む。即ち、記憶されているＤＳＴ情報が夏時間ＯＮであれば夏時間ＯＮに設定し、夏時間ＯＦＦであれば夏時間ＯＦＦに設定する。
【００５３】
ステップＳ３１２では、制御部１５０は、衛星信号に基づく衛星時刻情報、タイムゾーンおよびＤＳＴに基づいて計時する時刻（内部時刻）を修正し、ＤＳＴ設定処理を終了する。
図５に戻り、制御部１５０は、修正した時刻（内部時刻）を表示し（ステップＳ２１０）、処理を終了する。
また、ステップＳ２０４において、衛星信号を受信できないと判定した場合（Ｎｏ）、制御部１５０は、記憶されているタイムゾーンおよびＤＳＴ情報と同じになるようにＤＳＴを設定する（ステップＳ２２０）。
【００５４】
次に、制御部１５０は、計時中の内部時刻を修正することなく表示し（ステップＳ２２２）、処理を終了する。
【００５５】
以上述べた実施形態によれば、以下のような効果を奏する。
（１）ＧＰＳ衛星９０から送信される衛星信号を受信し、衛星信号に基づいて取得したタイムゾーンと、記憶装置１１０に記憶しているタイムゾーンが異なる場合、電子時計１０は、ユーザーがタイムゾーンを跨いで移動したと判定し、ＤＳＴを夏時間ＯＦＦに設定する。従って、ユーザーがタイムゾーンを跨いで移動した場合、ユーザーがＤＳＴを再設定せず、電子時計１０が誤った時間を表示することを回避できる。
（２）また、２つのタイムゾーンが同じである場合、ユーザーがタイムゾーンを跨いで移動していないと判定しＤＳＴを維持することで、ＤＳＴを正しく設定できる。
（３）記憶装置１１０は、ＤＳＴを採用している地域の情報を保持しないため、記憶領域は圧迫されない。そのため、記憶装置１１０の大容量化や、電子時計１０を制御するソフトウェアの肥大化および複雑化を抑制できる。
【００５６】
以上、添付図面を参照しながら好適な実施形態について説明したが、好適な実施形態は、前記実施形態に限らない。実施形態は、要旨を逸脱しない範囲内において種々変更を加え得ることは勿論であり、以下のように実施することもできる。
【００５７】
（変形例１）
前記の実施形態においては、ＤＳＴ設定部１７５は、タイムゾーンの変化に基づいてＤＳＴを設定したが、これには限定されない。図７は、タイムゾーンの属性の１つであるタイムゾーングループの変化に基づいてＤＳＴを設定する場合の処理を示すフローチャートである。
【００５８】
尚、タイムゾーングループとは、地域に応じて複数のタイムゾーンをグループ化したものである。例えば、欧州においては、ＵＴＣ、ＵＴＣ＋１およびＵＴＣ＋２のタイムゾーンは同一のタイムゾーングループである。また、米国では、ＵＴＣ−５、ＵＴＣ−６、ＵＴＣ−７、ＵＴＣ−８およびＵＴＣ−９が同一のタイムゾーングループであり、ブラジルでは、ＵＴＣ−３およびＵＴＣ−４が同一のタイムゾーングループである。一般的に、同じタイムゾーングループに属する各タイムゾーンにおいては、ＤＳＴ情報が同じである。
この処理が開始されると、制御部１５０は、現在のタイムゾーンを取得する（ステップＳ３０２）。
【００５９】
次に、制御部１５０は、取得したタイムゾーンのタイムゾーングループと、予め記憶したタイムゾーンのタイムゾーングループと、を取得する（ステップＳ３０６）。
次に、制御部１５０は、２つのタイムゾーングループを比較し、同じであるか、否かを判定する（ステップＳ３０８）。
ここで、２つのタイムゾーングループは異なると判定した場合（ステップＳ３０８でＮｏ）、制御部１５０は、ＤＳＴをＯＦＦ（夏時間ＯＦＦ）に設定し（ステップＳ３１０）、ステップＳ３１２に進む。
【００６０】
他方で、２つのタイムゾーングループは同じであると判定した場合（ステップＳ３０８でＹｅｓ）、制御部１５０は、記憶されているＤＳＴ情報と同じになるようにＤＳＴを設定し（ステップＳ３２０）、ステップＳ３１２に進む。
ステップＳ３１２では、制御部１５０は、衛星信号に基づく衛星時刻情報、タイムゾーンおよびＤＳＴに基づいて計時する時刻（内部時刻）を修正し、ＤＳＴ設定処理を終了する。
尚、衛星信号から得られた緯度や経度の位置情報に基づいて、タイムゾーンがタイムゾーングループに属するか、否かを判定する態様も想定できる。
【００６１】
（変形例２）
また、図８は、測位モードで受信処理が実行された場合にＤＳＴの設定を夏時間ＯＦＦに設定する処理を示すフローチャートである。
この処理が開始されると、制御部１５０は、衛星信号を受信する（ステップＳ２０２）。
次に、制御部１５０は、衛星信号を受信できたか、否かを判定する（ステップＳ２０４）。
【００６２】
ここで、衛星信号を受信できたと判定した場合（ステップＳ２０４でＹｅｓ）、制御部１５０は、受信した衛星信号から位置情報を算出する（ステップＳ２０６）。
次に、制御部１５０は、ＤＳＴをＯＦＦ（夏時間ＯＦＦ）に設定する（ステップＳ３１０）。
次に、制御部１５０は、衛星信号に基づく衛星時刻情報および設定したＤＳＴに基づいて計時する時刻（内部時刻）を修正し（ステップＳ３１２）、修正した時刻（内部時刻）を表示して（ステップＳ２１０）、処理を終了する。
【００６３】
他方で、衛星信号を受信できないと判定した場合（ステップＳ２０４でＮｏ）、制御部１５０は、ＤＳＴをＯＦＦ（夏時間ＯＦＦ）に設定する（ステップＳ３２２）。
次に、制御部１５０は、計時している内部時刻を表示し（ステップＳ３２４）、処理を終了する。
電子時計１０が測位受信を行う場合として、タイムゾーンを越えるような長距離の移動が行われた場合が想定される。従って、測位受信を開始した場合、衛星信号の受信成否に依らず、ＤＳＴ設定をＯＦＦにすることで、移動先に合わせて正しくＤＳＴが設定されず、電子時計１０が誤った時間を表示することを回避できる。
【００６４】
（変形例３）
また、ユーザーが電子時計１０のボタン５１やリューズ５５等を操作し、タイムゾーンの変更指示を制御部１５０が受け付ける態様も想定できる。この場合、修正したタイムゾーンに応じてＤＳＴを設定する。図９は、ユーザーの操作によりタイムゾーンが修正される場合に実行される処理の流れを示すフローチャートである。
この処理が開始されると、制御部１５０は、現在設定されているタイムゾーンとＤＳＴ情報を関連付けて記憶装置１１０に記憶する（ステップＳ２００）。尚、この処理は、ユーザーが修正を開始した場合に実行される態様には限定されず、修正が行われる前に実行されていれば良い。
【００６５】
次に、制御部１５０は、ユーザーの手動操作に応じてタイムゾーンを修正する（ステップＳ２０１）。
次に、制御部１５０は、ＤＳＴ設定処理を実行する（ステップＳ３００）。この場合のＤＳＴ設定処理は、図６を用いて説明したＤＳＴ設定処理であっても良く、また、図７を用いて説明したＤＳＴ設定処理であっても良い。
次に、制御部１５０は、修正した時刻（内部時刻）を表示し（ステップＳ２１０）、処理を終了する。
【００６６】
（変形例４）
尚、制御部１５０は、ＤＳＴの設定を変更した場合、文字板１１の指針７１の指示位置を「ＤＳＴ」の英字位置または「○」の記号位置の何れかに変更するが、指示位置が「ＤＳＴ」の英字位置から「○」の記号位置に変更する場合、指針７１を少なくとも１回転させてユーザーの注意を引き付ける態様も想定できる。
また、記憶装置１１０が記憶するタイムゾーンとＤＳＴ情報は、直近のデータのみには限定されず、複数の過去のデータを記憶し、制御部１５０が必要に応じて読み出して設定しても良い。
【００６７】
（変形例５）
また、前記実施形態では、ステップＳ２０４において、衛星信号を受信できないと判定した場合（Ｎｏ）、記憶されているタイムゾーンおよびＤＳＴ情報と同じになるようにＤＳＴを設定するようにしたが、これに限定されない。例えば、受信処理が失敗した場合には、記憶されているＤＳＴ情報に関わらず、ＤＳＴをＯＦＦ（夏時間ＯＦＦ）に設定するようにしてもよい。
【００６８】
また、電子時計１０の時刻表示は、アナログ表示方式には限定されず、液晶パネル等からなるデジタル表示方式であっても良く、更に、アナログ表示方式およびデジタル表示方式の両方を備えた方式であっても良い。
また、電子時計１０は時刻表示機能を備えていれば良く、ユーザーの腕に装着されて脈拍を計測する脈拍計や、ユーザーがランニングを行う際などにユーザーの腕に装着されて現在位置を計測して蓄積するＧＰＳロガー等のリスト型機器等に対しても適用できる。
【００６９】
また、電子機器は、電子時計１０に限定しない、即ち、時刻表示機能は必須ではなく、計時した時刻情報を用いて情報処理する装置、例えば、タブレットのような多機能携帯端末や、登山等に用いられる携帯型のＧＰＳ受信機等に広く適用できる。
また、ＧＰＳ衛星９０は本発明における位置情報衛星の一例であり、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの衛星時刻情報を含む衛星信号を発信する位置情報衛星でも良い。
【００７０】
本発明の実施形態について、図面を参照して説明したが、具体的な構成は、上述した態に限られるものではなく、本発明の要旨を逸脱しない範囲の設計変更等も含まれる。また、以上のような手法を実施する装置は、単独の装置によって実現される場合もあれば、複数の装置を組み合わせることによって実現される場合もあり、各種の態様を含むものである。
【符号の説明】
【００７１】
１０…電子時計、１１…文字板、１５…カレンダー小窓、１６…数字情報、２１…秒針、２２…分針、２３…時針、３０…外装ケース、３１…円筒状のケース、３２…ベゼル、４０…ダイヤルリング、５１…ボタン、５５…リューズ、６１，７１，８１，８２，９１…指針、７２，７３…記号、９０…ＧＰＳ衛星、１００…ＣＰＵ、１１０…記憶装置、１１２…ＲＡＭ、１１４…ＲＯＭ、１１８…電池、１２０…ＧＰＳモジュール、１２５…ＧＰＳアンテナ、１３０…入力装置、１４０…表示装置、１４５…データバス、１５０…制御部、１５５…測時部、１６０…測位部、１６５…タイムゾーン設定部、１７０…時刻修正部、１７５…ＤＳＴ設定部、１８０…表示制御部。
【図１】
2017032291.tif 000003
【図２】
2017032291.tif 000004
【図３】
2017032291.tif 000005
【図４】
2017032291.tif 000006
【図５】
2017032291.tif 000007
【図６】
2017032291.tif 000008
【図７】
2017032291.tif 000009
【図８】
2017032291.tif 000010
【図９】
2017032291.tif 000011